(57)【要約】      （修正有）【課題】蒸気機関車玩具において、見栄えが良く且つ耐久性に優れた簡易ロッド機構を提供する。【解決手段】簡易ロッド機構は、第１の軸１６を中心に回転する回転体１１ｅと、回転体１１ｅの偏心位置で当該回転体１１ｅに第２の軸１５を介して回動可能に取り付けられた透明板１４と、を備え、透明板１４は、ロッドが視認可能に表示されたロッド表示部と、当該ロッド表示部の脇の無色透明部とを有し、ロッド表示部の一端部で第２の軸１５を介して回転体１１ｅに取り付けられ当該回転体１１ｅの回転に伴って所定の動作をするように構成されている。【選択図】図３
0003189833.tif 000002
【実用新案登録請求の範囲】
【請求項１】
第１の軸を中心に回転する回転体と、
前記回転体の偏心位置で当該回転体に第２の軸を介して回動可能に取り付けられた透明板と、を備え、
前記透明板は、ロッドが視認可能に表示されたロッド表示部と、当該ロッド表示部の脇の無色透明部とを有し、前記ロッド表示部の一端部で前記第２の軸を介して前記回転体に取り付けられ当該回転体の回転に伴って所定の動作をするように構成されていることを特徴とする簡易ロッド機構。
【請求項２】
前記回転体は蒸気機関車玩具の一の車輪であり、前記透明板の前記ロッド表示部の他端部又は前記蒸気機関車玩具の固定部の一方には長孔が形成され他方には当該長孔に係合する軸が形成されていることを特徴とする請求項１に記載の簡易ロッド機構。
【請求項３】
前記蒸気機関車玩具は、前記一の車輪と他の車輪とが並設された構造を有しており、前記ロッド表示部は前記他の車輪を跨いで延在していることを特徴とする請求項２に記載の簡易ロッド機構。
【請求項４】
前記ロッド表示部の前記他の車輪と重なる部分の一部は前記一の車輪の回転に伴って前記他の車輪の中心の周りを回るように構成され、前記他の車輪の中心の周りを回る部分の一部は、視覚上で前記ロッド表示部の他の部分と識別し得るような態様で前記無色透明部に対し凸形状となっていることを特徴とする請求項３に記載の簡易ロッド機構。
【請求項５】
前記ロッド表示部は、前記無色透明部に対し凸形状となっていることを特徴とする請求項１から請求項４のいずれか一項に記載の簡易ロッド機構。
【請求項６】
前記ロッド表示部にはタンポ印刷が施されていることを特徴とする請求項５に記載の簡易ロッド機構。
【考案の詳細な説明】
【技術分野】
【０００１】
本考案は、簡易ロッド機構に関するものである。
【背景技術】
【０００２】
従来、実際の蒸気機関車を模した蒸気機関車玩具が知られている。この蒸気機関車玩具にあっては、左右それぞれに、車輪が並設され、コネクティングロッドやカップリングロッドによって複数の車輪が連結された構造となっている（例えば、特許文献１）。
【先行技術文献】
【特許文献】
【０００３】
【特許文献１】実用新案登録第３１４４２９７号
【０００４】
ところが、蒸気機関車玩具の場合、スケール則に従って、コネクティングロッドやカップリングロッドも細くすることが必要となる。具体的には、蒸気機関車玩具の場合、多少の変形はあっても、実際の蒸気機関車本体に対する蒸気機関車玩具本体の縮尺割合と同程度の縮尺割合で蒸気機関車玩具のコネクティングロッド等を形成する必要がある。特に、実物に近い蒸気機関車玩具を提供する場合にはそれは厳格である。スケール則に従って、コネクティングロッド等を細くしないとすれば、蒸気機関車玩具本体の外観とコネクティングロッド等の外観との大きさのバランスが崩れて見栄えが悪いものとなってしまう。一方、蒸気機関車玩具本体がある程度小さい場合、スケール則に従って、コネクティングロッド等を細くするとすれば、コネクティングロッド等が細くなって脆弱となり、耐久性に乏しいものとなる。
【０００５】
本考案は、かかる問題点に鑑みてなされたものであり、見栄えが良く且つ耐久性に優れた簡易ロッド機構を提供することを目的としている。
【考案の概要】
【課題を解決するための手段】
【０００６】
請求項１に記載の簡易ロッド機構は、
第１の軸を中心に回転する回転体と、
前記回転体の偏心位置で当該回転体に第２の軸を介して回動可能に取り付けられた透明板と、を備え、
前記透明板は、ロッドが視認可能に表示されたロッド表示部と、当該ロッド表示部の脇の無色透明部とを有し、前記ロッド表示部の一端部で前記第２の軸を介して前記回転体に取り付けられ当該回転体の回転に伴って所定の動作をするように構成されていることを特徴とする。
【０００７】
請求項２に記載の簡易ロッド機構は、請求項１に記載の簡易ロッド機構において、前記回転体は蒸気機関車玩具の一の車輪であり、前記透明板の前記ロッド表示部の他端部又は前記蒸気機関車玩具の固定部の一方には長孔が形成され他方には当該長孔に係合する軸が形成されていることを特徴とする。
【０００８】
請求項３に記載の簡易ロッド機構は、請求項２に記載の簡易ロッド機構において、前記蒸気機関車玩具は、前記一の車輪と他の車輪とが並設された構造を有しており、前記ロッド表示部は前記他の車輪を跨いで延在していることを特徴とする。
【０００９】
請求項４に記載の簡易ロッド機構は、請求項３に記載の簡易ロッド機構において、前記ロッド表示部の前記他の車輪と重なる部分の一部は前記一の車輪の回転に伴って前記他の車輪の中心の周りを回るように構成され、前記他の車輪の中心の周りを回る部分の一部は、視覚上で前記ロッド表示部の他の部分と識別し得るような態様で前記無色透明部に対し凸形状となっていることを特徴とする。
【００１０】
請求項５に記載の簡易ロッド機構は、請求項１から請求項４のいずれか一項に記載の簡易ロッド機構において、前記ロッド表示部は、前記無色透明部に対し凸形状となっていることを特徴とする。
【００１１】
請求項６に記載の簡易ロッド機構は、請求項５に記載の簡易ロッド機構において、前記ロッド表示部にはタンポ印刷が施されていることを特徴とする。
【考案の効果】
【００１２】
請求項１に記載の簡易ロッド機構によれば、回転体の回転に伴ってロッド表示部が所定の動作を行うとともに、ロッド表示部の脇には無色透明部が存在するので、ロッド表示部が動作している間も無色透明部の裏側が透けて見えることから、実際のロッドが動作しているようなイメージが醸し出される。また、ロッド表示部を細くする場合であっても、無色透明部が存在するので、ロッド表示部の強度の低下を補完することができる。
【００１３】
請求項２に記載の簡易ロッド機構によれば、車輪の回転に追従してロッド表示部が動作しているようなイメージ、或いは、ロッド表示部の動作に追従して車輪が回転しているようなイメージが醸し出される。
【００１４】
請求項３に記載の簡易ロッド機構によれば、ロッド表示部によって一の車輪と他の車輪とが連結されているようなイメージが醸し出される。
【００１５】
請求項４に記載の簡易ロッド機構によれば、ロッド表示部における他の車輪と重なる部分の一部に形成した凸部が当該ロッド表示部の動作中に他の車輪の中心の周りを回るので、視覚上、ロッド表示部によって他の車輪を回転させているようなイメージが強く醸し出される。
【００１６】
請求項５に記載の簡易ロッド機構によれば、ロッド表示部は凸部となっているので、ロッド表示部を立体的に構成することができ、視覚上でロッド表示部の外形をより実際のロッドに近付けることができる。
【００１７】
請求項６に記載の簡易ロッド機構によれば、ロッド表示部の凸部にタンポ印刷が施されているので、ロッド表示部を美麗なものとすることができる。
【図面の簡単な説明】
【００１８】
【図１】本考案に係る簡易ロッド機構を適用した列車玩具を示した側面図である。
【図２】図１に示した列車玩具のうちの蒸気機関車玩具を示した側面図である。
【図３】図２に示した蒸気機関車玩具のうちの主部を分解した状態を示した側面図である。
【図４】透明板の構成を示した図である。
【図５】透明板の凸部の動作を説明するための図である。
【図６】透明板のロッド表示部の構成を説明するための図である。
【考案を実施するための形態】
【００１９】
以下、本考案の簡易ロッド機構を図面に示した実施形態に基づいて説明する。
【００２０】
図１は、本考案の簡易ロッド機構を適用した列車玩具が示されている。
この列車玩具１は、蒸気機関車玩具１０と、この蒸気機関車玩具１０に連結される客車玩具２０とを備えている。このうち蒸気機関車玩具１０は図２に示すように炭水車相当部分１０ｂを含んでいる。蒸気機関車玩具１０から炭水車相当部分１０ｂを除いた部分を、以下では、蒸気機関車玩具主部１０ａとして説明する。
図３に示すように、蒸気機関車玩具主部１０ａは、大別すれば、台車１１、前部ボディー１２及び後部ボディー１３を備えている。このうち台車１１の左右には、それぞれ、６つの車輪１１ａ，１１ｂ，１１ｃ，１１ｄ，１１ｅ，１１ｆが前方から後方に向けてこの順に並んで設けられている。また、前部ボディー１２には前照灯相当部分１２ａや煙室相当部分（図示せず）が形成され、後部ボディー１３には火室相当部分１３ａや運転席相当部分１３ｂが形成されている。
【００２１】
車輪１１ｂ及び車輪１１ｅは図示しないレールに係合し、レールの上を転動可能に構成されている。残りの車輪１１ａ、車輪１１ｃ，車輪１１ｄ及び車輪１１ｆは車輪１１ｂ及び車輪１１ｅよりも小さい車輪となっている。これらの車輪１１ａ、車輪１１ｃ，車輪１１ｄ及び車輪１１ｆはダミーの車輪であって、レールに係合せず、レールの上を転動可能となっていない。
【００２２】
４つの車輪１１ｂ，１１ｃ，１１ｄ，１１ｅの外側には透明板１４が設けられている。この透明板１４の後端部は、車輪１１ｅの軸１６から偏心した位置に軸１５を介して回転可能に取り付けられている。一方、透明板１４は３つの車輪１１ｄ，１１ｃ，１１ｂを跨いで前端は車輪１１ｂの前方まで延び、前部ボディー１２内側に位置している。そして、前部ボディー１２内に位置する透明板１４の前端部には長孔１４ａが形成されていて、この長孔１４ａには、台車本体１１Ａの側面に突設された軸１１Ｂが挿入されている。その結果、車輪１１ｅが回転すると、透明板１４が軸１５を中心に回転動作する。その際、透明板１４の前端部の長孔１４ａが軸１１Ｂに係合しているので、透明板１４は前後方向及び上下方向に揺動する。なお、透明板１４は、この揺動の際に接地しない大きさ及び形状に形成されている。
【００２３】
図４に示すように、透明板１４には、その一部に実際のロッドを模した有色（例えば銀色）のロッド表示部１４Ａが形成され、ロッド表示部１４Ａの脇には無色透明部１４Ｂが形成されている。このうちロッド表示部１４Ａはタンポ印刷によって形成されている。すなわち、透明板１４の表面には、スケール則に従って縮尺され、且つ、図６（Ａ）に示すように、コネクティングロッド及びカップリングロッドを模した凹凸部１７が無色透明部１４Ｂに対して突出して形成され、この凹凸部１７にはタンポ印刷１８が施されロッド表示部１４Ａが形成されている。このロッド表示部１４Ａの後端部は軸１５近くまで達している。そして、ロッド表示部１４Ａの先端側は３つの車輪１１ｄ，１１ｃ，１１ｂをこの順に跨いで長孔１４ａ近くにまで達している。
なお、長孔１４ａの形状及び大きさと軸１１Ｂの設置位置は、車輪１１ｅの回転に伴ってロッド表示部１４Ａの一部が車輪１１ｂ、車輪１１ｃ及び車輪１１ｄの中心の周りを回ることができるように設定されている。
そして、ロッド表示部１４Ａにおいて、車輪１１ｅの回転に伴って車輪１１ｂ、車輪１１ｃ及び車輪１１ｄの中心の周りを回る部分には、車輪１１ｂ、車輪１１ｃ及び車輪１１ｄのそれぞれに対応して１つずつ凸部１４Ｃが形成されている。この凸部１４Ｃは、視覚上でロッド表示部１４Ａの他の部分と識別し得る態様で形成されている。例えば、この凸部１４Ｃは、ロッド表示部１４Ａの他の部分よりも高くなっていたり、形状が他の部分とは異なっていたり、色がロッド表示部１４Ａの他の部分と異なり無色となっている。この実施形態では、車輪１１ｂに対応する凸部１４Ｃは円柱形でロッド表示部１４Ａの他の部分よりも高くなっている（図６（Ｂ）参照）。また、車輪１１ｃに対応する凸部１４ＣはＵ字形でロッド表示部１４Ａの他の部分よりも高くなっており、さらに、車輪１１ｄに対応する凸部１４Ｃは４角柱の上に円柱を重ねた形状でロッド表示部１４Ａの他の部分よりも高くなっている。
なお、車輪１１ｄに対応する凸部１４Ｃはコネクティングロッド及びカップリングロッドの連結部相当部分にもなっている。
【００２４】
次に、列車玩具１の動作について説明する。
この列車玩具１は、蒸気機関車玩具１０の後に客車玩具２０を取り付けることによって走行する。すなわち、蒸気機関車玩具１０の直後に取り付けられる客車玩具２０が電池及びモータ（図示せず）を搭載し、当該客車玩具２０の車輪２１がモータ動力によって回転駆動され、この客車玩具２０に押されて蒸気機関車玩具１０の車輪１１ｂ，１１ｅが転動する。
そして、車輪１１ｅが転動すると、透明板１４ひいてはロッド表示部１４Ａが動作する。その際、ロッド表示部１４Ａに形成された凸部１４Ｃは対応する車輪１１ｂ，１１ｃ，１１ｄの中心の周りを回転する。つまり、蒸気機関車玩具１０の凸部１４Ｃは、対応する車輪１１ｂ，１１ｃ，１１ｄの中心を基準に、上、前、下、後、上、・・・の順となるように回転する。これによって、ロッド表示部１４Ａによって車輪１１ｂ，１１ｃ，１１ｄが回転させられているようなイメージを醸し出すことができる。車輪１１ｂの中心Ｃの周りを回転する凸部１４Ｃの様子が図５に示されている。これと同様に、車輪１１ｃ，１１ｄの中心の周りを対応の凸部１４Ｃが回転する。
【００２５】
以上のように構成された簡易ロッド機構の効果は次のとおりである。
第１に、車輪１１ｅの回転に伴って、透明板１４に表示されたロッド表示部１４Ａが所定の動作を行うとともに、ロッド表示部１４Ａの脇には無色透明部１４Ｂが存在するので、ロッド表示部１４Ａが動作している間も無色透明部１４Ｂの裏側が透けて見えることから、実際のロッドが動作しているようなイメージが醸し出される。また、ロッド表示部１４Ａを細くする場合であっても、無色透明部１４Ｂが存在するので、ロッド表示部１４Ａの強度の低下を補完することができる。
【００２６】
第２に、車輪１１ｅの回転に追従してロッド表示部１４Ａが動作しているようなイメージ、或いは、ロッド表示部１４Ａの動作に追従して車輪１１ｅが回転しているようなイメージが醸し出される。
【００２７】
第３に、ロッド表示部１４Ａによって車輪１１ｅと車輪１１ｂ，１１ｃ，１１ｄとが連結されているようなイメージが醸し出される。
【００２８】
第４に、凸部１４Ｃがロッド表示部１４Ａの動作中に車輪１１ｂ，１１ｃ，１１ｄの中心の周りを回るので、視覚上、ロッド表示部１４Ａによって車輪１１ｂ，１１ｃ，１１ｄを回転させているようなイメージが強く醸し出される。
【００２９】
第５に、ロッド表示部１４Ａは凸形状となっているので、ロッド表示部１４Ａを立体的に構成することができ、視覚上でロッド表示部１４Ａをより実際のロッドに近付けることができる。
【００３０】
第６に、ロッド表示部１４Ａの凹凸部にタンポ印刷が施されているので、ロッド表示部１４Ａを美麗なものとすることができる。
【００３１】
以上、本考案の実施形態について説明したが、本考案は、かかる実施形態に限定されるものではなく、その要旨を変更しない範囲で種々変形が可能である。
【００３２】
上記実施形態では、蒸気機関車玩具１０自体にモータ等の動力源を持たないものについて説明したが動力源を持つ蒸気機関車玩具にも適用できる。
【００３３】
また、上記実施形態では、蒸気機関車玩具１０に本考案の簡易ロッド機構を適用した場合を説明したが、様々なリンク機構にも適用することができる。
【００３４】
また、上記実施形態では、ロッド表示部１４Ａを有色の凹凸部で形成したが、ロッドが視認可能に表示されていれば足りる。例えば、ロッド表示部１４Ａを凹凸部で形成しないで単に有色とすることもできるし、無色の凹凸部とすることもできる。また、ロッド表示部１４Ａを有色又は無色の凹部又は凸部で形成してもよい。
【符号の説明】
【００３５】
１     列車玩具
１０   蒸気機関車玩具
１０ａ 蒸気機関車玩具主部
１１   台車
１１Ａ 台車本体
１１Ｂ 軸
１１ａ，１１ｂ，１１ｃ，１１ｄ，１１ｅ，１１ｆ   車輪
１４   透明板
１４   ロッド表示部
１４Ａ ロッド表示部
１４Ｂ 無色透明部
１４Ｃ 凸部
１４ａ 長孔
１５   軸
【図１】
0003189833.tif 000003
【図２】
0003189833.tif 000004
【図３】
0003189833.tif 000005
【図４】
0003189833.tif 000006
【図５】
0003189833.tif 000007
【図６】
0003189833.tif 000008